(57)【特許請求の範囲】
【請求項１】
水分、ハロゲン、金属イオンを嫌う薬液を収納するための、薬液収納用の薬液収納容器において、
上方開口を有する外側缶と、
前記外側缶内に配置されるとともに、上端部に注出部材が取付けられ、内部に薬液が収納される薬液収納袋とを備え、
前記注出部材は前記外側缶の前記上方開口に設けられ、
前記外側缶の前記上方開口を密閉する蓋体が前記注出部材を覆って設けられ、
前記蓋体には前記注出部材を貫通する薬液を排出する薬液用ノズルと、前記注出部材内に加圧ガスを供給する加圧ガス供給用ノズルとが取付けられており、
前記蓋体は平板状をなして、前記外側缶の前記上方開口周縁に固定手段によって固定されており、
前記注出部材は底面と、底面周縁から上方に延びる側面と、上方開口周縁に係合するフランジとを有し、前記注出部材内は前記薬液用ノズルが貫通して延びる薬液用ノズル空間と、加圧ガスが充てんされる加圧ガス空間とに区画され、前記注出部材の底面に加圧ガス空間と、前記外側缶と前記薬液収納袋との間の加圧空間を連通する連通孔が形成されていることを特徴とする薬液収納容器。
【請求項２】
前記注出部材に、前記薬液用ノズル空間と、前記加圧ガス空間とを区画する区画壁が設けられていることを特徴とする請求項１記載の薬液収納容器。
【請求項３】
前記蓋体に、前記薬液用ノズル空間と、前記加圧ガス空間とを区画する区画壁が設けられていることを特徴とする請求項１記載の薬液収納容器。
【発明の詳細な説明】
【技術分野】
【０００１】
本発明は、例えばリチウムイオン電池用電解液のような薬液を収納するための薬液収納容器に関する。
【背景技術】
【０００２】
従来より例えばリチウムイオン電池用電解液のような薬液は、キャニスタ缶（金属缶）内に収納され、この薬液を収納した金属缶が搬送される。そして必要に応じて金属缶内部から薬液が取出され、使用される。【０００３】
薬液が取出された金属缶はその後内部が洗浄され、次回再び薬液を収納して搬送される。【０００４】
ところでリチウム電池用電解液は、その取扱いを慎重に行う必要があり、一度リチウム電池用電解液を収納した金属缶の洗浄にあたっても、高精度に洗浄する必要があり、金属缶の洗浄コストが高価となっている。【０００５】
例えばキャニスタ―缶の洗浄に関しては内容物の除去に加え、洗浄後の残渣がなきように工程を組みあげる必要がある（特許文献１）。
【先行技術文献】
【特許文献】
【０００６】
【特許文献１】特開平１０−４３６
【発明の概要】
【発明が解決しようとする課題】
【０００７】
上述のようにリチウム電池用電解液等の薬液を金属缶内に収納した場合、薬液を取出す毎に金属缶内を洗浄する必要があり、この洗浄コストが高価となっている。【０００８】
他方、金属缶内に薬液収納袋を配置し、金属缶と薬液収納袋を貫通して薬液用ノズルを設けるとともに、薬液用ノズルを介して薬液収納袋内の薬液を外方へ排出する薬液収納容器も開発されている。この場合、金属缶と薬液収納袋との間の空間にＮ２ガス供給用ノズルからＮ２ガスを加圧ガスとして供給し、この加圧ガスによって薬液収納袋内の薬液を外方へ排出させる。また薬液用ノズルおよびＮ２ガス供給用ノズルは、金属缶と薬液収納袋に設けられた注出部材により保持されている。【０００９】
しかしながら、金属缶と薬液収納袋に注出部材を密封状態で設けるとともに、注出部材に薬液用ノズルおよびＮ２ガス供給用ノズルを取付ける作業は容易でない。そこで簡単な構造でかつ容易に金属缶と薬液収納袋に薬液用ノズルと加圧ガス供給用ノズルを設けることができる薬液収納容器の開発が望まれている。【００１０】
本発明はこのような点を考慮してなされたものであり、簡単な構造で、かつ薬液用ノズルおよび加圧ガス供給用ノズルを容易に金属缶と薬液収納袋に設けることができる薬液収納容器を提供することを目的とする。
【課題を解決するための手段】
【００１１】
本発明は、薬液収納用の薬液収納容器において、上方開口を有する外側缶と、外側缶内に配置されるとともに、上端部に注出部材が取付けられ、内部に薬液が収納される薬液収納袋とを備え、注出部材は外側缶の上方開口に嵌込まれ、外側缶の上方開口を密閉する蓋体が注出部材を覆って設けられ、蓋体には注出部材を貫通する薬液を排出する薬液用ノズルと、注出部材内に加圧ガスを供給する加圧ガス供給用ノズルとが取付けられていることを特徴とする薬液収納容器である。【００１２】
本発明は、蓋材は外側缶の上方開口周縁に固定されていることを特徴とする薬液収納容器である。【００１３】
本発明は、注出部材内は薬液用ノズルが貫通して延びる薬液用ノズル空間と、加圧ガスが充てんされる加圧ガス空間とに区画され、注出部材に加圧ガス空間と、外側缶と薬液収納袋との間の加圧空間を連通する連通孔が形成されていることを特徴とする薬液収納容器である。【００１４】
本発明は、注出部材に、薬液用ノズル空間と、加圧ガス空間とを区画する区画壁が設けられていることを特徴とする薬液収納容器である。【００１５】
本発明は、蓋体に、薬液用ノズル空間と、加圧ガス空間とを区画する区画壁が設けられていることを特徴とする薬液収納容器である。
【発明の効果】
【００１６】
以上のように本発明によれば、薬液収納容器の全体の構造をコンパクトにすることができ、かつ薬液用ノズルおよび加圧ガス供給用ノズルを容易かつ簡単に外側缶および薬液収納袋に取付けることができる。
【図面の簡単な説明】
【００１７】
【図１】図１は本発明による薬液収納容器の注出部材部分を示す拡大図。
【図２】図２は薬液収納容器の注出部材を示す斜視図。
【図３】図３は薬液収納容器の全体概略図。
【図４】図４は薬液収納袋と注出部材を示す側面図
【図５】図５（ａ）は内袋用の材料を示す断面図であり、図５（ｂ）は外袋用の材料を示す断面図。
【図６】図６は本発明による薬液収納容器の変形例を示す図。
【図７】図７（ａ）（ｂ）（ｃ）は本発明による薬液収納容器の他の変形例を示す図。
【発明を実施するための形態】
【００１８】
発明の実施の形態
以下、図面を参照して本発明の実施の形態について説明する。
【００１９】
図１乃至図５（ａ）（ｂ）は、本発明による薬液収納容器の実施の形態を示す図である。
【００２０】
まず図１乃至図３により、薬液収納容器の概略について説明する。
【００２１】
図１乃至図３に示すように、薬液収納容器１は、リチウムイオン電池用電解液等の薬液が収納される薬液収納用の薬液収納袋１０と、内部にこの薬液収納袋１０が配置される金属製の外側缶（以下、金属缶ともいう）２とを備えている。なお、外側缶２は金属製の他、合成樹脂により作製することもできる。
【００２２】
また薬液収納袋１０は、リチウムイオン電池用溶解液等の薬液を収納するものであるが、リチウムイオン電池用電解液の他、半導体製造工程において用いられるレジスト除去用薬液、エッチング用薬液あるいは他の化学薬液を収納することもできる。
【００２３】
また、薬液収納袋１０内に、リードフレーム製造工程において用いられるレジスト除去用薬液あるいはエッチング液を収納してもよく、サスペンション基板製造工程において用いられるレジスト除去用薬液あるいはエッチング液を収納してもよく、さらに印刷工程において用いられる印刷用インキを収納してもよい。
【００２４】
例えば薬液収納袋１０内に収納されるリチウムイオン電池用電解液としては、ＬｉＣｌＯ４、ＬｉＰＦ６等のＬｉイオンを含んだ有機電解液を用いることができる。
【００２５】
このような有機電解液は、水分、ハロゲン、金属イオン等を嫌うため、後述のように有機電解液を収納する内袋１１としては、これら水分、ハロゲン、金属イオン等をなるべく含まない材料が用いられる。
【００２６】
また金属缶２は、上方開口２ａを有し、この上方開口２ａは蓋体５により密閉されている。金属缶２および蓋体５は全体としてステンレス製となっている。
【００２７】
また図４に示すように、薬液収納袋１０は、例えばリチウムイオン電池用電解液等の薬液３が収納される内袋１１と、内袋１１を囲む外袋１２とを有し、内袋１１と外袋１２を貫通して注出部材１５が延びている。
【００２８】
次に図１乃至図３により、注出部材１５および蓋体５の取付構造について説明する。
【００２９】
図１乃至図３に示すように、注出部材１５は金属缶２の上方開口２ａに嵌込まれており、蓋体５は注出部材１５を覆って設けられ金属缶２の上方開口２ａを密閉するとともに、この蓋体５は金属缶２の上方開口２ａの周縁に複数のボルト６によりボルト締めされて固定されている。
【００３０】
注出部材１５について、更に説明する。注出部材１５は、その上端に周縁フランジ２１を有し、この周縁フランジ２１が金属缶２の上方開口２ａに嵌込まれることにより、注出部材１５は金属缶２の上方開口２ａに位置決めされる。
【００３１】
さらに注出部材１５には内部を後述する薬液用ノズル１６が貫通して延びる薬液用ノズル空間１５Ａと、後述する加圧ガス供給用ノズル１７から供給される加圧ガスが充てんされる加圧ガス空間１５Ｂとに区画する円筒状の区画壁２０が設けられている。すなわち、注出部材１５の円筒状の区画壁２０は、その内部に薬液用ノズル１６が貫通する薬液用ノズル空間１５Ａが形成され、注出部材１５内のうち区画壁２０の外方は加圧ガス空間１５Ｂとなっている。
【００３２】
また注出部材１５は底面２２を有し、この底面２２には連通孔２２ａが形成され、この連通孔２２ａにより注出部材１５の加圧ガス空間１５Ｂと、金属缶２と薬液収納袋１０との間に形成された加圧空間８とが連通するようになっている。
【００３３】
また、注出部材１５は区画壁２０から下方へ連続して延びる連結口２６を有し、連結口２６の下端部には、内袋１１と外袋１２を一体にシールして形成された密閉シール部１３が固着されるシール固着部２５が形成されている。注出部材１５のシール固着部２５は平面略だ円形状を有し、これによりシール固着部２５と薬液収納袋１０の密閉シール部１３とを容易に固着することができる。
【００３４】
上述のように、注出部材１５の薬液用ノズル空間１５Ａ内には薬液用ノズル１６が貫通し、加圧ガス空間１５Ｂ内には加圧ガス供給用ノズル１７から加圧ガスが供給される。
【００３５】
図１乃至図３に示すように、薬液用ノズル１６は注出部材１５の薬液用ノズル空間１５Ａ内を延びるとともに蓋体５により堅固に保持されている。この薬液用ノズル１６は薬液収納袋１０内の薬液３を注出して外方へ放出するものであるが、薬液収納袋１０内に薬液３を充てんする目的で使用することもできる。
【００３６】
また、加圧ガス供給用ノズル１７も蓋体５により堅固に保持され、加圧ガス供給用ノズル１７からＮ２ガス等の不活性ガスを注出部材１５の加圧ガス空間１５Ｂ内に充てんすることができる。加圧ガス供給用ノズル１７から加圧ガス空間１５Ｂ内に充てんされた不活性ガスは、その後加圧ガス空間１５Ｂから連通孔２２ａを経て、金属缶２と薬液収納袋１０との間の加圧空間８内へ送られる。そして加圧空間８内に不活性ガスを供給することにより、薬液収納袋１０を外方から加圧して、薬液収納袋１０内の薬液３を薬液用ノズル１６から外方へ放出することができる。
【００３７】
また蓋体５には更に加圧ガス空間１５Ｂ内の圧力を検出する圧力計１８が設置されている。さらにまた蓋体５に取付けられた薬液用ノズル１６の先端には、外部ライン（図示せず）に連結されるコネクタ１６ａが設けられ、加圧ガス供給用ノズル１７の先端には、外部ライン（図示せず）に連結されるコネクタ１７ａが設けられている。
【００３８】
なお、上述した注出部材１５は、全体として合成樹脂製となっている。
【００３９】
次に薬液収納袋１０について図４および図５により述べる。薬液収納袋１０を構成する内袋１１は内袋用の材料１１Ａからなる一対のフィルムを準備し、この一対のフィルムの周縁をヒートシールしてヒートシール部１１ａを形成することにより得られる（図５（ａ）参照）。
【００４０】
内袋用の材料１１Ａとしては、ポリエチレン（ＰＥ）、ポリプロピレン（ＰＰ）等のポリオレフィン材料を用いることができ、内袋１１は薬液３に直接触れる部分であるため、リチウムイオン電池用電解液が嫌う水分、ハロゲン、金属イオンをなるべく含まない材料、例えば低水分、低ハロゲン、低金属イオンの材料を用いることが好ましい。また内袋用の材料１１Ａとしては、無添加のポリオレフィンであることがより好ましく、このような無添加のポリオレフィンを用いることにより、内袋用の材料１１Ａ中の成分が薬液３へ溶出することを防止できる。
【００４１】
また内袋１１内には薬液３が収納されることになるが、搬送時に薬液３から内袋１１内面に圧力が加わっても内袋１１が破損したりすることがないよう、内袋１１内面の隅部１１ｂは湾曲面を有している。
【００４２】
すなわち、薬液３が収納された内袋１１を有する薬液収納袋１０が金属缶２内に配置されて薬液収納容器１が得られるが、この薬液収納容器１を搬送する際、内袋１１内に収納された薬液３から内袋１１内面に圧力が加わることも考えられる。
【００４３】
このような場合、内袋１１の内面の隅部１１ｂが多角形状となっている場合、内袋１１の内面に薬液３から圧力が加わると、多角形状の隅部１１ｂに局所的な応力が生じてこの隅部１１ｂ近傍で内袋１１が破損することも考えられる。
【００４４】
これに対して本発明によれば、内袋１１の内面の隅部１１ｂは湾曲面からなるため、搬送中に内袋１１の内面に薬液３から圧力が加わったとしても、湾曲面からなる隅部１１ｂに局所的な応力が生じることはなく、隅部１１ｂ近傍における内袋１１の破損を未然に防ぐことができる。
【００４５】
このような湾曲面をもつ内袋１１の隅部１１ｂは、内袋１１を作製する際、隅部１１ｂが湾曲面をもつようヒートシール部１１ａを形状することにより得られる。
【００４６】
次に外袋１２について更に説明する。外袋１２は内袋１１を外方から囲むものであってかつ金属缶２内に配置されるものであり、内袋１１を外側から保護し、金属缶２からの衝撃が直接内袋１１に伝わらないよう機能する。
【００４７】
このため外袋１２を作製するための外袋用の材料１２Ａとしては、内側から外側へ向かって順次配置されたＰＥ、ＰＰ等のポリオレフィン層、アルミニウム層（Ａｌ層）、ポリエチレンテレフタレート層（ＰＥＴ層）又は延伸ナイロン層（ＯＮ層）を含む積層体が用いられる（図５（ｂ）参照）。
【００４８】
このうちＰＥ、ＰＰ等のポリオレフィン層はヒートシール層として機能し、Ａｌ層はガスバリア層として機能し、ＰＥＴ層又はＯＮ層は耐衝撃性をもつ。
【００４９】
このように外袋１２用の材料１２Ａは、内袋１１用の材料１１Ａに比べて、全体として優れた耐衝撃性およびガスバリア性をもち、他方内袋１１用の材料１１Ａは外袋１２用の材料１２Ａに比べて、低水分量、低ハロゲン量、および低金属イオンの材料からなる。
【００５０】
ところで外袋１２は、外袋１２用の材料１２Ａからなる表面フィルム、裏面フィルム、一対のガセットフィルムを準備し、これらの周縁をヒートシールしてヒートシール部１２ａを形成することにより得られる。
【００５１】
とりわけ外袋１２の底部１２ｅにおいてヒートシール部１２ａの面積を大きくとることにより、外袋１２はガセット型の外形をもつことができる。このようなガセット型の外形をもつ外袋１２は、金属缶２内でその底部１２ｅにおいて自立することができる。
【００５２】
このように、ガセット型の外形をもつ外袋１２を金属缶２内で自立させることにより、金属型２内において薬液収納袋１０を全体として安定して配置することができる。このため搬送時において、金属缶２内で薬液収納袋１０が揺れたりずれたりすることはなく、内袋１１内に収納された薬液３を安定して搬送することができる。
【００５３】
次にこのような構成からなる本実施の形態の作用について説明する。
【００５４】
まず薬液収納容器１の製造方法について述べる。
【００５５】
図４に示すように、ガセット型の外形形状を有する外袋１２内に、外袋１２の上方開口から内袋１１を挿入して配置する。
【００５６】
次に内袋１１内に、内袋１１の上方開口から注出部材１５を挿入する。
【００５７】
その後、内袋１１の上方開口と外袋１２の上方開口を揃えて一体にヒートシールする。このことにより、内袋１１の上方開口と外袋１２の上方開口が一体にシールされて密閉シール部１３が形成される。同時に注出部材１５のシール固着部２５も、内袋１１および外袋１２と一体にヒートシールされ、注出部材１５は密閉シール部１３により内袋１１と外袋１２に固定される（図４参照）。
【００５８】
このようにして、内袋１１と、外袋１２とを有し、注出部材１５が取付けられた薬液収納袋１０が得られる。他方、予め薬液用ノズル１６と、加圧ガス供給用ノズル１７と、圧力計１８とが取付けられた蓋体５を準備しておく。次に注出部材１５の区画壁２０により形成された薬液ノズル空間１５Ａ内に薬液用ノズル１６が挿入され、薬液収納袋１０と、蓋体５と、注出部材１５とが一体に組合される。
【００５９】
次に金属缶２内に上方開口２ａから薬液収納袋１０が挿入され、注出部材１５が金属缶２の上方開口２ａに嵌込まれる。この場合、注出部材１５の周縁フランジ２１が金属缶２の上方開口２ａに嵌込まれ、蓋体５はその周縁に設けられたボルト６により金属缶２の上方開口２ａ周縁にボルト締めされる。また、蓋体５に取付けられた加圧ガス供給用ノズル１７は、注出部材１５の加圧ガス空間１５Ｂ内に延びる。
【００６０】
使用にあたっては、薬液用ノズル１６がコネクタ１６ａを介して外部の供給機構（図示せず）に接続され、この供給機構から薬液３が内袋１１内へ供給される。
【００６１】
次に薬液用ノズル１６のコネクタ１６ａが図示しないキャップにより密封され、内袋１１と、外袋１２とを有する薬液収納袋１０と、金属缶２とを有する薬液収納容器１が、目的地まで搬送される。その後、搬送先において薬液用ノズル１６のコネクタ１６ａからキャップが取外され、薬液用ノズル１６のコネクタ１６ａが排出機構（図示せず）に接続される。
【００６２】
次に加圧ガス供給用ノズル１７のコネクタ１７ａがＮ２ガス供給機構（図示せず）に接続され、加圧ガス供給用ノズル１７から注出部材１５の加圧ガス空間１５Ｂ内にＮ２ガスが供給される。加圧ガス空間１５Ｂ内のＮ２ガスは、注出部材１５の連通孔２２ａから金属缶２と薬液収納袋１０との間の加圧空間８内に送られ、薬液収納袋１０を外方から加圧する。このことにより、薬液収納袋１０の内袋１１内に収納されていた薬液３を薬液用ノズル１６から排出機構側へ排出することができる。この間、Ｎ２ガスの供給量は圧力計１８に示されるＮ２ガスの圧力をみながら調整することができる。
【００６３】
以上のように、本実施の形態によれば、薬液収納用の薬液収納容器１が、金属缶２と、金属缶２内に配置され、薬液３を収納する内袋１１と、内袋１１を囲む外袋１２とを有する薬液収納袋１０と、薬液収納袋１０に取付けられた注出部材１５とを備えている。このため金属缶２内に薬液３を直接収納する装置に比べて、金属缶２を頻繁に洗浄する必要はなく、高価な洗浄コストを低減することができる。
【００６４】
さらにまた、注出部材１５を覆って、金属缶２の上方開口２ａを密閉する蓋体５が設けられ、この蓋体５に注出部材１５を貫通する薬液用ノズル１６と加圧ガス供給用ノズル１７とが予め取付けられている。このため予め薬液収納袋１０に注出部材１５を取付けておき、更に注出部材１５に薬液用ノズル１６を貫通させる。
【００６５】
そして金属缶２の上方開口２ａに蓋体５を固定するだけで、容易かつ簡単に薬液用ノズル１６と加圧ガス供給用ノズル１７とを設置することができる。
【００６６】
ところで薬液収納容器１の搬送中に、薬液３から内袋１１の内面に圧力が加わることも考えられるが、内袋１１の内面の隅部１１ｂは湾曲面からなるため薬液３から内袋１１の内面に圧力が加わっても、この隅部１１ｂに局所的に応力が集中して隅部１１ｂ近傍において内袋１１が破損することはない。
【００６７】
さらにまた、内袋１１の材料１１Ａは低水分量、低ハロゲン量、および低イオン量の材料からなるので、内袋１１内に収納された薬液３が劣化したり、内袋１１から悪影響を受けることはない。
【００６８】
さらにまた外袋１２はガセット型の外形形状を有するため、外袋１２を安定して金属缶２の缶本体２Ａ内に自立して配置することができる。このため薬液収納容器１の搬送中に金属缶２内で外袋１２が揺れたり、ずれたりすることはない。
【００６９】
さらにまた外袋１２の材料１２Ａは、耐衝撃性およびガスバリア性に優れているので、内袋１１を外側から保護し、搬送中に金属缶２からの衝撃が内袋１１に伝わらないようにすることができ、かつ内袋１１内の薬液３側へ外部の雰囲気が侵入することを未然に防ぐことができる。
【００７０】
なお、上記実施の形態において、注出部材１５に注出部材１５内を薬液用ノズル空間１５Ａと、加圧ガス空間１５Ｂとに区画する円筒状の区画壁２０とを設けた例を示したが、これに限らず注出部材１５に円筒状の区画壁２０を設けることなく、蓋体５の下面から円筒状の区画壁を延ばしてもよい。
【００７１】
変形例
次に図６および図７（ａ）（ｂ）（ｃ）により本発明による薬液収納容器の変形例について説明する。
【００７２】
図６および図７（ａ）（ｂ）（ｃ）に示す変形例は薬液収納袋１０の構成が異なるのみであり、他の構成は図１乃至図５（ａ）（ｂ）に示す実施の形態と略同一である。図６および図７（ａ）（ｂ）（ｃ）に示す変形例において、図１乃至図５（ａ）（ｂ）に示す実施の形態と同一部分については同一符号を付して詳細な説明は省略する。
【００７３】
まず図６に示す変形例において、内袋１１と外袋１２とを有する薬液収納袋１０が示されている。
【００７４】
図６において、便宜上、注出部材１５が取除かれた薬液収納袋１０が示されている。
【００７５】
図６において、薬液収納袋１０は、例えばリチウムイオン電池用電解液等の薬液３が収納される内袋１１と、内袋１１を囲む外袋１２と、を備えている。
【００７６】
ところで外袋１２は、外袋１２用の材料１２Ａからなる一枚のフィルムを折り畳み、両側縁をヒートシールしてヒートシール部１２ａを形成することにより得られる。すなわち外袋１２は３方シール構造をもつ。
【００７７】
このように外袋１２は３方シール構造をもつため、シール部分の数を減らすことができ、このことにより、外袋１２の強度向上を図ることができる。
【００７８】
次に図７（ａ）（ｂ）（ｃ）により本発明による薬液収納容器の他の変形例について述べる。
【００７９】
図７（ａ）（ｂ）（ｃ）に示す薬液収納袋１０は、例えばリチウムイオン電池用電解液等の薬液３が収納される内袋１１と、内袋１１を囲む外袋１２とを有し、内袋１１と外袋１２を貫通して延びる注出部材１５が設けられている。
【００８０】
そして、内袋１１と外袋１２を一体にシールして形成された密閉シール部１３により注出部材１５のシール固着部２５がヒートシールされて、注出部材１５が内袋１１および外袋１２に固着されている。
【００８１】
内袋１１および外袋１２は、いずれもポリエチレン製のシール部を含まない上方開口１１ｆ、１２ｆおよび下方開口１１ｇ、１２ｇを有する円筒状チューブからなる。
【００８２】
内袋１１および外袋１２の製造にあたっては、まず円筒状チューブからなる内袋１１を外袋１２内に配置する（図７（ａ）参照）。次に、内袋１１および外袋１２の下方開口１１ｇ、１２ｇを一体にヒートシールすることにより、内袋１１および外袋１２の各々の下方開口１１ｇ、１２ｇが密閉されて、底部シール部１４が形成される（図７（ｂ）参照）。
【００８３】
次に内袋１１内に、内袋１１の上方開口１１ｆから注出部材１５を挿入する。
【００８４】
その後、内袋１１の上方開口１１ｆと外袋１２の上方開口１２ｆを揃えて一体にヒートシールする。このことにより、内袋１１の上方開口１１ｆと外袋１２の上方開口１２ｆが一体にシールされて密閉シール部１３が形成される。同時に注出部材１５のシール固着部２５も、内袋１１および外袋１２と一体にヒートシールされ、注出部材１５は密閉シール部１３により内袋１１と外袋１２に固定される。
【００８５】
上記のように、内袋１１および外袋１２は、いずれも円筒状チューブからなるため、内袋１１を外袋１２内に挿入し、内袋１１と外袋１２を揃えて下方開口１１ｇ、１２ｇと、上方開口１１ｆ、１２ｆをヒートシールすることにより容易に薬液収納袋１０を得ることができる。
【符号の説明】
【００８６】
１  薬液収納容器
２  金属缶
２ａ  上方開口
３  薬液
５  蓋体
６  ボルト
８  加圧空間
１０  薬液収納袋
１１  内袋
１１ａ  ヒートシール部
１１ｂ  隅部
１２  外袋
１２ａ  ヒートシール部
１３  密閉シール部
１５  注出部材
１５Ａ  薬液用ノズル空間
１５Ｂ  加圧ガス空間
１６  薬液用ノズル
１７  加圧ガス供給用ノズル
２０  円筒状区画壁
２２  底面
２２ａ  連通孔
２５  シール固着部
２６  連結口
【図１】
0005725266.tif 000002
【図２】
0005725266.tif 000003
【図３】
0005725266.tif 000004
【図４】
0005725266.tif 000005
【図５】
0005725266.tif 000006
【図６】
0005725266.tif 000007
【図７】
0005725266.tif 000008